(57)【要約】【課題】重量の異なる引戸にも適応した制動力が作用する引戸制動装置を提供してコストを飛躍的に低減する。【解決手段】引戸制動装置Ｒは、引戸Ｄが全開する直前に、互いに当接する、制動部材Ｂの固定制動材２０と可動制動材３０、可動制動材と振れ止めガイドＧが有する摩擦係数が異なる材質の固定制動材と可動制動材と振れ止めガイドとが擦りながら摺動するから、そのとき発生する比較的強い摩擦力が第一次制動力として引戸に作用し、加えて、引戸は上吊式だから、制動部材を介して振れ止めガイドに乗り上がって圧接状態で走行し、重い引戸全体を持ち上げて摺動することになるので、吊持した引戸が重くても、その重量に応じて摩擦抵抗も増大し、それだけ強い摩擦力が第二次制動力として引戸に作用する。【選択図】          図１
2016169501.tif 000002
【特許請求の範囲】
【請求項１】
下端面の長さ方向にガイド溝を凹設した引戸を開閉方向に走行自在に吊持する一方、引戸が走行する軌道下の床面に既設の振れ止めガイドを前記ガイド溝に係合して引戸を案内しながら制動する引戸制動装置であって、引戸が全開、全閉又は全開閉するそれぞれ直前に前記振れ止めガイドに乗り上がると、引戸の重量に適応した制動力を発生する制動部材を前記ガイド溝に内装することを特徴とする、引戸制動装置。
【請求項２】
前記制動部材は、前記ガイド溝内に固定摩擦面を下向きにして取り付ける固定制動材と、該固定摩擦面に摺動摩擦面を当接させて前記固定制動材に対し摺動自在に連結する可動制動材とからなり、前記固定摩擦面と前記摺動摩擦面を互いに整合する傾斜角度の傾斜面で形成することを特徴とする、請求項１に記載の引戸制動装置。
【請求項３】
前記制動部材は、互いに当接する、前記固定制動材と可動制動材、該可動制動材と
前記振れ止めガイドが有する摩擦係数が異なる材質からなることを特徴とする、請求項２に記載の引戸制動装置。
【請求項４】
前記振れ止めガイドは、引戸が全開位置と全閉位置の間を走行するとき常に前記ガイド溝に係合する位置に立設してなる、請求項１、２又は３に記載の引戸制動装置。
【発明の詳細な説明】
【技術分野】
【０００１】
本発明は、上吊式の引戸が全開、全閉又は全開閉する直前の制動開始位置に至ると、開閉速度を減少させて静かに開閉する引戸制動装置に関する。
【背景技術】
【０００２】
従来、上吊式の引戸は、上端に搭載した吊車ユニットの戸車を引戸レールに係合して開閉方向に走行自在に吊持し、例えば閉時、全閉する直前の制動開始位置に到達すると、戸車にブレーキをかけてゆっくり静かに閉扉する引戸制動装置が各種提案されている。
【０００３】
例えば引戸制動装置は、図１５に示すように、上吊式引戸１に搭載した吊車ユニット２に触れないように当接体３を引戸レール４内に固設する一方、当接体３に接触すると制動力を発生する制動体５を吊車ユニット２に回動自在に取り付け、閉時に、引戸１が全閉する直前の制動開始位置に到達すると、制動体５に突設したブレーキゴム６がバネ付勢力に抗し当接体３に押し当たって摺動し、そのとき発生する摩擦力が制動力として作用し、これにより、引戸１を減速して静かにゆっくり閉扉する構造になっている（特許文献１・２参照）。
【先行技術文献】
【特許文献】
【０００４】
【特許文献１】特許第３９６１５３１号公報
【特許文献２】特許第２８７２６２０号公報
【発明の概要】
【発明が解決しようとする課題】
【０００５】
ところが、上述した従来の引戸制動装置は、引戸側に備える制動体５のブレーキゴム６がバネ付勢力に抗し当接体３に押し当たって摺動するときの摩擦力を利用して引戸を制動する構造であるから、引戸の重量が違っても同じ摩擦力が制動力となって引戸に作用するので、重さの異なる引戸に適応した制動力を作用する機種を都度、用意する必要があり、その結果、コストが非常に高くなるという課題があった。
【０００６】
そこで、本発明の目的は、重量の異なる引戸にも適応した制動力を作用する引戸制動装置を提供してコストを飛躍的に低減することにある。
【０００７】
そのため、請求項１に記載の発明は、たとえば以下に示す図示実施の形態のとおり、下端面１９ａの長さ方向にガイド溝１５を凹設した引戸Ｄを開閉方向に走行自在に吊持する一方、引戸Ｄが走行する軌道下の床面Ｆに既設の振れ止めガイドＧを前記ガイド溝１５に係合して引戸Ｄを案内しながら制動する引戸制動装置Ｒであって、引戸Ｄが全開、全閉又は全開閉するそれぞれ直前に前記振れ止めガイドＧに乗り上がると、引戸Ｄの重量に適応した制動力を発生する制動部材Ｂを前記ガイド溝１５に内装することを特徴とする。
【０００８】
請求項２に記載の発明は、請求項１に記載の引戸制動装置Ｒにおいて、たとえば以下に示す図示実施の形態のとおり、前記制動部材Ｂは、前記ガイド溝１５内に固定摩擦面２０ａを下向きにして取り付ける固定制動材２０と、該固定摩擦面２０ａに摺動摩擦面３０ａを当接させて前記固定制動材２０に対し摺動自在に連結する可動制動材３０とからなり、前記固定摩擦面２０ａと前記摺動摩擦面３０ａを互いに整合する傾斜角度の傾斜面で形成してなることを特徴とする。
【０００９】
請求項３に記載の発明は、請求項２に記載の引戸制動装置Ｒにおいて、たとえば以下に示す図示実施の形態のとおり、前記制動部材Ｂは、互いに当接する、前記固定制動材２０と可動制動材３０、該可動制動材３０と前記振れ止めガイドＧが有する摩擦係数が異なる材質からなることを特徴とする。
【００１０】
請求項４に記載の発明は、請求項１、２又は３に記載の引戸制動装置Ｒにおいて、たとえば以下に示す図示実施の形態のとおり、前記振れ止めガイドＧは、引戸Ｄが全開位置と全閉位置の間を走行するとき常に前記ガイド溝１５に係合する位置に立設してなることを特徴とする。
【発明の効果】
【００１１】
請求項１に記載の発明によれば、引戸を開閉するとき、引戸が全開、全閉又は全開閉するそれぞれ直前に、床面に既設の振れ止めガイドに制動部材を介して乗り上がると、振れ止めガイドに圧接状態の重い引戸を持ち上げて摺動することで発生した摩擦力を制動力として引戸に作用するから、効率よく効果的に引戸の勢いを緩衝し、戸当りなどに強く当たらないように減速して静かにゆっくり開閉させることができる。
【００１２】
しかも、請求項１に記載の発明によれば、引戸が上吊式だから、制動部材を介して振れ止めガイドに乗り上がって圧接状態で走行すると、引戸全体を持ち上げて摺動することになるので、そのとき、吊持した引戸の重量に応じて制動部材と振れ止めガイドとの摩擦抵抗が制動力として増大し、各種引戸の重さに適応した制動力が作用する機種を都度、用意する必要がなく、それだけコストを飛躍的に低減することができる。
【００１３】
加えて、請求項１に記載の発明によれば、引戸が走行する軌道下の床面に既設の振れ止めガイドを利用し、その振れ止めガイドをガイド溝に係合して引戸を案内しながら制動する構成だから、それだけ制動用に必要な部品点数が削減されると共に、全体に構造が簡略化されて一層にコストを下げることができる。
【００１４】
請求項２に記載の発明によれば、制動部材が固定制動材と可動制動材の固定摩擦面と摺動摩擦面が摺接するから、そのときに発生する比較的強い摩擦力が第一次制動力として引戸に作用する一方、この制動部材を介して振れ止めガイドに圧接状態の重い引戸を持ち上げて摺動することで発生する第二次制動力も引戸に作用するから、より効率よく効果的に引戸の勢いを緩衝して戸当りなどに強く当たらないように減速して静かにゆっくり開扉させることができる。
【００１５】
請求項３に記載の発明によれば、互いに当接する、制動部材の固定制動材と可動制動材、可動制動材と振れ止めガイドが有する摩擦係数が異なる材質の固定制動材と可動制動材と振れ止めガイドとが擦りながら摺動するから、そのとき発生する比較的強い摩擦力が制動力として引戸に作用するから、効率よく効果的に引戸の勢いを緩衝し、戸当りなどに強く当たらないように減速して静かにゆっくり開閉させることができる。
【００１６】
請求項４に記載の発明によれば、振れ止めガイドは、引戸が全開位置と全閉位置の間を走行するとき常にガイド溝に係合する位置で床面に立設し、戸袋壁などが設置されていても、方立などのある開口部寄りに位置し、取り付け取り外しや修理などの作業を容易にすることができる。
【図面の簡単な説明】
【００１７】
【図１】本発明の一例である引戸制動装置を備えた引戸構造体を引戸が半開き状態で示す正面図である。
【図２】引戸制動装置を備えた引戸構造体を引戸が半開き状態で示す斜視図である。
【図３】制動部材を示す分解斜視図である。
【図４】制動部材を図３と向きを変えて示す分解斜視図である。
【図５】引戸制動装置の制動部材を示す（Ａ）組立斜視図（Ｂ）組立平面図（Ｃ）組立平面図である。
【図６】制動部材を示す（Ａ）組立側面図（Ｂ）可動制動材の位置を変えて示す組立側面図である。
【図７】制動部材を示す（Ａ）組立縦断面図（Ｂ）可動制動材の位置を変えて示す組立縦断面図である。
【図８】全開直前に引戸を制動する第一次制動状態を（ａ）（ｂ）（ｃ）に段階的に分けて示す引戸制動装置の部分縦断面図である。
【図９】全開直前に引戸を乗り上げて制動する第二次制動状態を（ａ）（ｂ）に段階的に分けて示す引戸制動装置の部分縦断面図である。
【図１０】閉扉直後の引戸の走行状態を（ａ）（ｂ）に段階的に分けて示す引戸制動装置の部分縦断面図である。
【図１１】全閉直前の引戸の走行状態を（ａ）（ｂ）に段階的に分けて示す引戸制動装置の部分縦断面図である。
【図１２】引戸の開閉方向を転換する扉操作によって制動部材の固定制動材から可動制動材の滑り落ち防止構造を説明する引戸制動装置の部分拡大縦断面図である。
【図１３】制動部材が樹脂材の単体からなる本発明の他例を示す引戸制動装置の部分縦断面図である。
【図１４】制動部材が板バネからなる本発明の別例を示す引戸制動装置の部分縦断面図である。
【図１５】従来の引戸制動装置を示す（ａ）縦断面図（ｂ）正面図である。
【発明を実施するための形態】
【００１８】
以下、図面を参照しつつ、本発明の実施形態について説明する。
【００１９】
図１および図２は本発明の一例である引戸制動装置を備えた引戸構造体を引戸が半開き状態で示している。図示例の引戸構造体Ａは、天井側に固定した引戸レール１０に上端に搭載した戸車を係合して引戸Ｄを図中左右の開閉方向に走行自在に吊持した上吊式で、開閉時は、引き手１１に手を掛けて引戸Ｄを開閉方向に走行し床面Ｆと戸枠Ｃで囲んだ開口部Ｓを開閉する構造になっている。符号Ｗは、開口部Ｓを全開した引戸Ｄが重ねて配列される戸袋壁である。
【００２０】
引戸構造体Ａは、引戸Ｄをスライドさせて開口部Ｓを開閉するとき、開閉方向に走行する引戸Ｄが横振れしないで直進するように案内する振れ止めガイドＧを、引戸Ｄが走行する軌道下の床面Ｆに既設する。
【００２１】
引戸Ｄは、例えば木製パネルで、上下の横框と、左右の縦框と、各框間の縦桟および横桟とで格子状に組んだ枠体を間に挟んで一対の鏡板材を張り合わせて組み立て、下部側の横框１９には、下端面１９ａの長さ方向に沿ってガイド溝１５を凹設する。そこで、既設の振れ止めガイドＧは、引戸Ｄが全開位置と全閉位置の間を走行するとき常にガイド溝１５に係合する位置で床面Ｆに立設する。
【００２２】
そこで、引戸構造体Ａは、引戸レール１０の走行路１６に上端の戸車を係合し、下端のガイド溝１５に振れ止めガイドＧの係合片１３を係合して引戸Ｄを吊り込み、開閉時は引き手１１を持って開閉方向に引戸Ｄを扉操作する構造であるが、特に引戸Ｄを開方向Ｘに引いて開口部Ｓを開放するとき、引戸Ｄが開けきる直前の制動開始位置に至ると、本発明の引戸制動装置Ｒが始動し、引戸Ｄの勢いを緩衝して戸枠Ｃの縦枠部１７に強く当たらないように減速し、静かにゆっくり開扉する。
【００２３】
そのため、引戸制動装置Ｒは、引戸Ｄのガイド溝１５に内装する制動部材Ｂと、床面Ｆに立てた既設の振れ止めガイドＧとで構成する。
【００２４】
図示例の制動部材Ｂは、共に樹脂製であっても、種類が違う樹脂材からなる固定制動材２０と、固定制動材２０に対して摺動する可動制動材３０とで構成する。
【００２５】
固定制動材２０は、例えば硬度・摩擦係数の大きいポリアミドからなり、図３および図４に示すように、片側を開放した細長い箱形の撓み可能な形状で、ガイド溝１５内に取り付ける取付面２０ｂの反対側が傾斜面の楔形ケース状に成形し、その傾斜面に固定摩擦面２０ａを形成する。固定制動材２０には、固定摩擦面２０ａの長さ方向に細長い案内溝２１を凹設する。
【００２６】
可動制動材３０は、材質が、例えばポリアミドより硬度・摩擦係数の小さいポリアセタールで、固定制動材２０と同じ樹脂製だが、種類が違う樹脂材からなり、短い幅方向に矩形の横穴２２を長さ方向に並設した中抜き状態にして撓み可能な細長い舌片状に成形する。固定制動材２０の固定摩擦面２０ａに当接する摺動摩擦面３０ａは、互いに隙間なく整合する傾斜角度の傾斜面で形成する。振れ止めガイドＧに乗り上がる加重面３０ｂは、摺動摩擦面３０ａが固定摩擦面２０ａと当接状態にあるときに固定制動材２０の水平な取付面２０ｂと平行に形成する。
【００２７】
可動制動材３０において、加重面３０ｂは、可動制動材３０の一端側に端縁に向け次第に先細になるテーパに形成し、さらに端縁を断面円弧状に傾斜したスロープ部３０Ｃを設ける一方、他端側に断面三角形のストッパ凸部３０ｄを設ける。摺動摩擦面３０ａには、長さ方向に固定制動材２０の案内溝２１に係合する係合リブ３０ｅを凸設する。引戸Ｄが制動開始位置Ｐに至ってから制動するまでのストロークに相応する長さ分だけ固定制動材２０の係合溝２１を係合リブ３０ｅより長く形成する。
【００２８】
そこで、制動部材Ｂは、図５に示すように、係合溝２１に係合リブ３０ｅを係合して固定摩擦面２０ａに摺動摩擦面３０ａを当接した状態で固定制動材２０に可動制動材３０を連結して組み立てる。この制動部材Ｂは、図６および図７に示すように、可動制動材３０のスロープ部３０Ｃを開扉時に振れ止めガイドＧが当接する方向に向けて固定制動材２０の取付面２０ｂをガイド溝１５の上面にねじ止めし、以って、図１および図２に示すように引戸Ｄの引き手１１を有する端部側においてガイド溝１５に内装する。
【００２９】
振れ止めガイドＧは、制動部材Ｂと同じ樹脂材であるが、種類が違う樹脂材の、例えば硬度・摩擦係数の大きいポリアミドからなり、ベースの取付板１４上に係合片１３を上向きに突設してなる。以って、振れ止めガイドＧは、図８（ｂ）に示すように、引戸Ｄが全開する直前に係合片１３に制動部材Ｂのスロープ部３０ｃが衝突する制動開始位置Ｐに、床面Ｆにおいて固定する。しかも、制動開始位置Ｐであると共に、引戸Ｄが全開位置と全閉位置の間を走行するとき常に係合片１３がガイド溝１５に係合する位置に立てて既設してなる。
【００３０】
さて、上述した引戸構造体Ａでは、全閉状態にある引戸Ｄを開けるとき、引戸Ｄは、図１および図２に示すように、引手１１に手を掛けて開方向Ｘに引くと、引戸レール１０の走行路１６を戸車が転動しながら、図８（ａ）に示すように走行して開扉する。
【００３１】
本発明の引戸制動装置Ｒは、こうして開扉してから、図８（ｂ）に示すように引戸Ｄが制動開始位置Ｐに到達したとき、即ち、引戸Ｄが走行する軌道下に立つ振れ止めガイドＧの係合片１３に可動制動材３０のスロープ部３０ｃが衝突したときに始動する。すると、制動部材Ｂは、振れ止めガイドＧに押され、図６（Ａ）および図７（Ａ）に示すように、可動制動材３０が固定制動材２０に対して固定摩擦面２０ａに摺動摩擦面３０ａを摺接させながらスライドする。それから、制動部材Ｂは、係合リブ３０ｅが案内溝２１の溝端縁に突き当たり、図８（ｃ）に示すように、可動制動材３０が摺動規制位置に停止する。
【００３２】
引戸制動装置Ｒは、こうして可動制動材３０が固定制動材２０に対しスライドする間、同じ樹脂材でも摩擦係数が異なる材質の固定制動材２０と可動制動材３０の固定摩擦面２０ａと摺動摩擦面３０ａが摺接するから、そのときに発生する比較的強い摩擦力が第一次制動力として引戸Ｄに作用する。
【００３３】
次いで、引戸制動装置Ｒは、こうして可動制動材３０が摺動規制位置に止まる一方、図９（ａ）に示すように引戸Ｄが開けられると、引戸Ｄは、スロープ部３０ｃの傾斜に沿って可動制動材３０を介して振れ止めガイドＧの上に乗り上がり、振れ止めガイドＧに圧接した状態で開方向Ｘに向けて摺動し、図９（ｂ）に示すように戸枠Ｃの縦枠部１７に当たって全開位置に止まり開口部Ｓを全開する。
【００３４】
従って、引戸制動装置Ｒは、引戸Ｄが振れ止めガイドＧに乗り上がり圧接状態で走行して全開する迄の間、（１）弾性を有する制動部材Ｂが引戸Ｄの重量に応じて撓むことにより緩衝し、制動部材Ｂと振れ止めガイドＧとの衝突や乗り上がり時の衝撃や騒音を抑える。（２）同じ樹脂材でも摩擦係数が異なる材質の可動制動材３０と振れ止めガイドＧとが擦りながら摺動するから、そのとき発生する比較的強い摩擦力が第一次制動力として引戸Ｄに作用する。（３）加えて、引戸Ｄは上吊式だから、制動部材Ｂを介して振れ止めガイドＧに乗り上がって圧接状態で走行し、重い引戸全体を持ち上げて摺動することになるので、吊持した引戸Ｄが重くても、その重量に応じて摩擦抵抗も増大し、それだけ強い摩擦力が第二次制動力として引戸Ｄに作用する。
【００３５】
その結果、引戸制動装置Ｒは、引戸Ｄを開方向Ｘに引いて開口部Ｓを開けるとき、引戸Ｄが全開する直前の制動開始位置に至ると始動し、（ａ）可動制動材３０と振れ止めガイドＧとが擦りながら摺動して発生した摩擦力による第一次制動力に次いで、（ｂ）制動部材Ｂを介して振れ止めガイドＧに圧接状態の重い引戸Ｄを持ち上げて摺動することで発生した第二次制動力が引戸Ｄに作用するから、効率よく効果的に引戸Ｄの勢いを緩衝して戸枠Ｃの縦枠部１７に強く当たらないように減速して静かにゆっくり開扉させることができる。
【００３６】
しかも、引戸制動装置Ｒでは、引戸Ｄは上吊式だから、制動部材Ｂを介して振れ止めガイドＧに乗り上がって圧接状態で走行すると、重い引戸全体を持ち上げて摺動することになるので、そのとき、吊持した引戸Ｄの重量に応じて制動部材Ｂと振れ止めガイドＧとの摩擦抵抗が制動力として増大し、各種引戸の重さに適応した制動力が作用する機種を都度、用意する必要がなく、それだけコストを飛躍的に低減することができる。
【００３７】
他方、図示例において、全開した引戸Ｄを閉めるとき、引戸Ｄを閉方向Ｙに引いて走行すると、摺動規制位置に止まった制動部材Ｂの可動制動材３０を方向転換し、図１０（ａ）・（ｂ）に示すように、開扉時と逆方向に固定制動材２０に対し摺接しながら、図１１（ａ）・（ｂ）に示すように順次に閉方向Ｙに走行するが、吊持した引戸Ｄの重量に応じて摩擦抵抗は若干残るので、制動力が引戸Ｄに作用して徐々に減速しながら閉扉する。
【００３８】
引戸制動装置Ｒでは、このように扉操作を開方向Ｘから閉方向Ｙに方向転換するとき、たとえば図１２に示すように、制動部材Ｂの固定制動材２０と可動制動材３０の固定摩擦面２０ａと摺動摩擦面３０ａがスリップして可動制動材３０が図中点線で示す固定制動材２０から外れて離脱するおそれがある。しかし、可動制動材３０は、固定制動材２０に対して摺動規制位置にあるときに振れ止めガイドＧの係合片１３に係止するストッパ凸部３０ｄを設けているため、固定制動材２０から外れて離脱するのを防止することができる。
【００３９】
ところで、上記図示例の引戸制動装置Ｒは、制動部材Ｂを、固定制動材２０と、固定制動材２０に対して摺動する可動制動材３０とで構成し、固定制動材２０と可動制動材３０の固定摩擦面２０ａと摺動摩擦面３０ａが摺接するときに発生する摩擦力も第一次制動力として作用させて引戸Ｄの走行にブレーキが掛かるように構成した。
【００４０】
しかし、本発明は、そのようなスライド摩擦構造に限らず、振れ止めガイドＧに乗り上げて圧接状態で引戸が摺動するときに、その引戸の重量に応じて発生する摩擦抵抗を制動力として引戸Ｄに作用する制動構造を備えればよく、それが発明の構成に欠くことのできない必須不可欠の事項であるので、例えば図１３に示すように、制動部材Ｂ１を１本の細長い樹脂材の単体により構成することもできる。制動部材Ｂ１には、長さ方向両端に振れ止めガイドＧに引戸Ｄが加重面２４へ乗り上がるのを傾斜に沿って案内するスロープ部２５・２６が設けられている。
【００４１】
図示他例では、図１３（ａ）に示すように、引戸Ｄが開けられると、引戸Ｄは、スロープ部２５の傾斜に沿って可動制動材３０を介し振れ止めガイドＧの上に乗り上がり、図１３（ｂ）に示すように、乗り上り状態で開方向Ｘに向けて擦りながら摺動し、図１３（ｃ）に示すように、戸枠Ｃの縦枠部１７に当たって全開位置に止まり開口部Ｓを全開する。
【００４２】
そこで、図示他例でも、引戸Ｄは上吊式だから、制動部材Ｂ１を介して振れ止めガイドＧに乗り上がった圧接状態で走行すると、重い引戸全体を持ち上げて摺動することになるので、吊持した引戸Ｄが例え重くても、その重量に応じて摩擦抵抗も増大し、それだけ強い摩擦力が制動力として引戸Ｄに作用し、それだけ効率よく効果的に引戸Ｄの勢いを緩衝して戸枠Ｃの縦枠部１７に強く当たらないように減速して静かにゆっくり開扉することができる。
【００４３】
また、本発明は、例えば図１４に示すように、制動部材Ｂ２として板ばねを曲げ成形した単体により構成することもできる。制動部材Ｂ２は、長さ方向両端を屈曲させてテーパに成形し、振れ止めガイドＧに引戸Ｄが加重面３４へ乗り上がるのを傾斜に沿って案内するスロープ部３５・３６が設けられている。
【００４４】
図示別例では、図１４（ａ）に示すように、引戸Ｄが開けられると、引戸Ｄは、スロープ部３５の傾斜に沿って可動制動材３０を介し振れ止めガイドＧの上に乗り上がり、図１４（ｂ）に示すように、乗り上り状態で開方向Ｘに向けて擦りながら摺動し、戸枠Ｃの縦枠部１７に当たって全開位置に止まり開口部Ｓを全開する。
【００４５】
そこで、図示別例でも、引戸Ｄは上吊式だから、制動部材Ｂ２を介して振れ止めガイドＧに乗り上がった圧接状態で走行すると、重い引戸全体を持ち上げて摺動することになるので、吊持した引戸Ｄが例え重くても、その重量に応じて摩擦抵抗も増大し、それだけ強い摩擦力が制動力として引戸Ｄに作用し、効率よく効果的に引戸Ｄの勢いを緩衝して戸枠Ｃの縦枠部１７に強く当たらないように減速して静かにゆっくり開扉することができる。
【００４６】
以上の図示例の引戸制動装置Ｒは、引戸Ｄが全開する直前の制動開始位置Ｐで床面Ｆに既設の振れ止めガイドＧに乗り上がると、引戸Ｄの重量に適応した制動力を発生する制動部材を引戸Ｄの下端面１９ａに有するガイド溝１５に内装する構成であったが、そのように全開時にブレーキを引戸に掛ける場合に限らず、引戸が全閉又は全開閉する場合にも、それぞれ直前の制動開始位置で既設の振れ止めガイドに乗り上がると、引戸の重量に適応した制動力を引戸に作用して効率よく効果的に引戸の勢いを緩衝して静かに減速する構成にすることもできる。
【符号の説明】
【００４７】
Ｂ・Ｂ１・Ｂ２    制動部材
Ｄ                引戸
Ｆ                床面
Ｇ                振り止めガイド
Ｒ                引戸制動装置
Ｐ                制動開始位置
１５              ガイド溝
２０              固定制動材
３０              可動制動材
【図１】
2016169501.tif 000003
【図２】
2016169501.tif 000004
【図３】
2016169501.tif 000005
【図４】
2016169501.tif 000006
【図５】
2016169501.tif 000007
【図６】
2016169501.tif 000008
【図７】
2016169501.tif 000009
【図８】
2016169501.tif 000010
【図９】
2016169501.tif 000011
【図１０】
2016169501.tif 000012
【図１１】
2016169501.tif 000013
【図１２】
2016169501.tif 000014
【図１３】
2016169501.tif 000015
【図１４】
2016169501.tif 000016
【図１５】
2016169501.tif 000017